(57)【要約】      （修正有）【課題】有隔膜電解槽の各電解室にて生成される電解生成酸性水および電解生成アルカリ性水をそれぞれ導出する一対の導出管路と注出管路間に介在し、設定された特性の電解生成水を選択して注出管路に注出する電解生成水用の注出弁装置を、簡単な構成で提供する。【解決手段】注出弁装置１００は、各導出管路に接続されて電解生成酸性水および電解生成アルカリ性水をそれぞれ導入する一対の導入通路１１４，１１５と、各導入通路に連通するとともに注出管路に接続され導入された電解生成水を注出管路に注出する注出通路１５３と、各導入通路と注出通路間に介在し所定量回転動作し各導入通路と注出通路の連通を選択的に切替える弁体１３０を備え、弁体の非動作時には、各導入通路と注出通路の連通を遮断するように構成した。【選択図】図３
2009279563.tif 000002
【特許請求の範囲】
【請求項１】
有隔膜電解槽の各電解室にて生成される電解生成酸性水および電解生成アルカリ性水をそれぞれ導出する一対の導出管路と注出管路との間に介在し、設定された特性の電解生成水を選択して前記注出管路に注出する電解生成水用の注出弁装置であり、当該注出弁装置は、前記各導出管路に接続されて電解生成酸性水および電解生成アルカリ性水をそれぞれ導入する一対の導入通路と、前記各導入通路に連通するとともに前記注出管路に接続され導入された電解生成水を前記注出管路に注出する注出通路と、前記各導入通路と前記注出通路間に介在し所定量回転動作して前記各導入通路と前記注出通路の連通を選択的に切替える弁体を備え、前記弁体の非動作時には、前記各導入通路と前記注出通路の連通を遮断していることを特徴とする電解生成水用の注出弁装置。
【請求項２】
請求項１に記載の電解生成水用の注出弁装置であり、当該注出弁装置は、前記各導入通路と前記弁体間に介在する導入側弁部と、前記弁体と前記注出通路間に介在する注出側弁部を備え、前記導入側弁部には、前記各導入通路に常時対向する一対の導入孔が形成され、前記弁体には、同弁体の一方向および他方向への所定量の回転動作により前記導入側弁部の各導入孔に選択的に対向する連通孔が形成され、前記注出側弁部には、前記注出通路および前記弁体の連通孔に常時対向する円弧状で所定長さの注出孔が形成されていて、前記弁体の非動作時には電解生成酸性水および電解生成アルカリ性水の注出を停止し、前記弁体の一方向への所定量の回転動作時には電解生成酸性水を前記注出管路に注出し、前記弁体の他方向への所定量の回転動作時には電解生成アルカリ性水を前記注出管路に注出することを特徴とする電解生成水用の注出弁装置。
【請求項３】
請求項１に記載の電解生成水用の注出弁装置であり、当該注出弁装置は、前記各導入通路と前記弁体間に介在する導入側弁部と、前記弁体と前記注出通路間に介在する注出側弁部を備え、前記導入側弁部には、前記各導入通路に常時対向する一対の導入孔が形成され、前記弁体には、周方向に所定間隔を保持する円弧状で所定長さを有する一対の連通孔であって、同弁体の一方向および他方向の所定量の回転動作により前記導入側弁部の各導入孔に選択的に対向するとともに、各連通孔のいずれかの連通孔はさらなる所定量の回転動作により前記導入側弁部の両導入孔に同時に対向する一対の連通孔が形成され、前記注出側弁部には前記注出通路および前記各導入通路に常時対向する円弧状で所定長さの注出孔が形成されていて、前記弁体の非動作時には電解生成酸性水および電解生成アルカリ性水の注出を停止し、前記弁体の一方向への所定量の回転動作時には電解生成酸性水を前記注出管路に注出し、前記弁体の他方向への所定量の回転動作時には電解生成アルカリ性水を前記注出管路に注出し、前記弁体のさらなる所定量の回転動作時には電解生成酸性水と電解生成アルカリ性水とが混合された電解生成水を前記注出管路に注出することを特徴とする電解生成水用の注出弁装置。
【請求項４】
請求項３に記載の電解生成水用の注出弁装置において、前記弁体に形成されている一方の連通孔は、周方向に所定長さ延びる円弧状の第１の連通孔部と、前記第１の連通孔部の一端からさらに周方向に所定長さ延びる円弧状で同第１の連通孔部より幅狭の第２の連通孔部とを有し、かつ、前記弁体に形成されている他方の連通孔は、周方向に所定長さ延びる円弧状の第１連通孔部と、前記第１連通孔部の一端から前記一方の連通孔の第２の連通孔部に向かってさらに周方向に所定長さ延びる円弧状で同第１連通孔部より幅狭の第２連通孔部とを有し、前記弁体の非動作時には電解生成酸性水および電解生成アルカリ性水の注出を停止し、前記弁体の一方向への所定量の回転動作時には電解生成酸性水を前記注出管路に注出し、前記弁体の一方向へのさらなる回転動作時には電解生成酸性水に少量の電解生成アルカリ性水が混合した弱酸性の電解生成酸性水を前記注出管路に注出し、前記弁体の他方向への所定量の回転動作時には電解生成アルカリ性水を前記注出管路に注出し、前記弁体の他方向へのさらなる回転動作時には電解生成アルカリ性水に少量の電解生成酸性水が混合した弱アルカリ性の電解生成アルカリ性水を前記注出管路に注出し、前記弁体の一方向または他方向へのさらなる回転動作時には電解生成酸性水と電解生成アルカリ性水が同量混合した略中性の電解生成水を前記注出管路に注出することを特徴とする電解生成水用の注出弁装置。
【請求項５】
有隔膜電解槽の各電解室にて生成される電解生成酸性水および電解生成アルカリ性水をそれぞれ導出する一対の導出管路と一対の注出管路との間に介在し、設定された特性の電解生成水を選択して前記各注出管路に注出する電解生成水用の注出弁装置であり、当該注出弁装置は、前記各導出管路に接続されて電解生成酸性水および電解生成アルカリ性水をそれぞれ導入する一対の導入通路と、前記各導入通路に連通するとともに前記各注出管路に接続され導入された各電解生成水を前記各注出管路にそれぞれ注出する注出通路と、前記各導入通路と前記各注出通路間に介在し所定量回転動作して前記各導入通路と前記各注出通路の連通を選択的に切替える弁体を備え、前記弁体の非動作時には、前記各導入通路と前記各注出通路の連通を遮断していることを特徴とする電解生成水用の注出弁装置。
【請求項６】
請求項５に記載の電解生成水用の注出弁装置であり、当該注出弁装置は、前記各導入通路と前記弁体間に介在する導入側弁部と、前記弁体と前記各注出通路間に介在する注出側弁部を備え、前記導入側弁部には、前記各導入管路に常時対向する一対の導入孔が形成され、前記注出側弁部には、前記注出通路に常時対向する一対の注出孔が形成され、前記弁体には、周方向に所定間隔を保持する円弧状で所定長さを有する一対の連通孔であって、同弁体の一方向および他方向の所定量の回転動作により前記導入側弁部の各導入孔と前記注出側弁部の各注出孔に選択的に対向する一対の連通孔が形成されていて、前記弁体の非動作時には電解生成酸性水および電解生成アルカリ性水の注出を停止し、前記弁体の一方向および他方向への所定量の回転動作時には各導入通路と各注出通路の連通を選択的に切替動作して、選定された各電解生成水を各注出管路に注出する電解生成水用の注出弁装置。
【請求項７】
有隔膜電解槽の各電解室にて生成される電解生成酸性水および電解生成アルカリ性水をそれぞれ導出する一対の導出管路と一対の注出管路との間に介在し、設定された特性の電解生成水を選択して前記各注出管路に注出する電解生成水用の注出弁装置であり、当該注出弁装置は、前記各導出管路に接続されて電解生成酸性水および電解生成アルカリ性水をそれぞれ導入する一対の導入通路と、前記各導入通路に連通するとともに前記各注出管路に接続され導入された各電解生成水を前記各注出管路にそれぞれ注出する注出通路と、前記各導入通路と前記各注出通路間に介在し所定量回転動作して前記各導入通路と前記各注出通路の部分的な連通を選択的に行う弁体を備え、前記弁体の非動作時には、前記各導入通路と前記各注出通路を連通して各電解生成水を専用の各注出管路に注出し、前記弁体の一方向および他方向への所定量の回転動作時には同一特性の電解生成水と特性の異なる電解生成水が異なる混合比で互いに混合した電解生成水とを各専用の注出管路にそれぞれ注出することを特徴とする電解生成水用の注出弁装置。
【請求項８】
請求項７に記載の電解生成水用の注出弁装置であり、当該注出弁装置は、前記各導入通路と前記各注出通路が連通する部位に弁体を備え、前記弁体には中心部を通って前記各導入通路と前記各注出通路が連通する部位に直線状に臨んで開口する連通孔が形成されていて、前記弁体の非動作時には電解生成酸性水および電解生成アルカリ性水を専用の注出通路を通して専用の注出管路に注出し、前記弁体の一方向への所定量の回転動作時には一方の導入通路を他方の注出通路に連通して電解生成アルカリ性水に電解生成酸性水の一部が混合した弱アルカリ性の電解生成アルカリ性水を他方の注出通路を通して専用の注出管路に注出するとともに、電解生成酸性水を一方の注出通路を通して専用の注出管路に注出し、前記弁体の他方向への所定量の回転動作時には他方の導入通路を一方の注出通路に連通して電解生成酸性水に電解生成アルカリ性水の一部が混合した弱酸性の電解生成酸性水を一方の注出通路を通して専用の注出管路に注出するとともに、電解生成アルカリ性水を他方の注出通路を通して専用の注出管路に注出することを特徴とする電解生成水用の注出弁装置。
【請求項９】
請求項１〜４のいずれか一項に記載の電解生成水用の注出弁装置において、前記注出管路の先端に接続される注出ノズルに発光色の異なる複数の発光素子を内蔵して、注出される電解生成水の特性に応じて異なる色に発光するように構成したことを特徴とする電解生成水用の注出弁装置。
【請求項１０】
請求項５〜８のいずれか一項に記載の電解生成水用の注出弁装置において、前記各注出通路に接続される各注出管路の先端に接続される各注出ノズルに発光色の異なる発光素子をそれぞれ内蔵して、注出される電解生成水の特性に応じて異なる色に発光させるように構成したことを特徴とする電解生成水用の注出弁装置。
【請求項１１】
請求項９または１０に記載の電解生成水用の注出弁装置において、電解生成水の非注出時には発光素子の発光を停止し、特性の安定な電解生成水が注出している状態では発光素子を発光させ、特性が安定していない電解生成水が注出している状態では発光素子の発光を点滅させるように制御することを特徴とする電解生成水用の注出弁装置。
【発明の詳細な説明】
【技術分野】
【０００１】
本発明は、電解生成水用の注出弁装置に関する。
【背景技術】
【０００２】
有隔膜電解式の電解水生成装置の電解運転では、有隔膜電解槽を構成する陽極側電解室にて電解生成酸性水が生成されるとともに、陰極側電解室にて電解生成アルカリ性水が生成される。生成された電解生成酸性水および電解生成アルカリ性水は、各注出弁を通して各注出管路に注出され、または、一旦専用の各貯溜タンクに収容された後、各注出弁を通して各注出管路に注出される。
【０００３】
しかして、当該電解水生成装置の電解運転にて生成される電解生成アルカリ性水は、カルシウム成分を含有していることが多く、カルシウム成分は大気中の炭酸ガスと反応して炭酸カルシウムを生成する。生成された炭酸カルシウムは電解生成アルカリ性水が流通する部位にスケールとして漸次付着することから、有隔膜電解槽の各電解室の極性を定期的に正負反転して、陽極側電解室を陰極側電解室に変更するとともに、陰極側電解室を陽極側電解室に変更して、電解生成アルカリ性水が流通する部位を電解生成酸性水が流通する部位に変更し、当該部位に付着するスケールを洗浄除去するとともに、当該部位でのその後のスケールの発生を防止する手段が採られる。この場合、各電解室から電解生成水を導出する管路には、各電解室の極性の反転に応じて流路を切替える流路切替弁を介在させて、各電解生成水がそれぞれ専用の導出管路に導出されるように配慮している。（特許文献１，２を参照）。
【０００４】
図１には、特許文献２に開示されている電解水生成装置と同一形式の電解水生成装置の典型的な例を模式的に示している。当該電解生成水装置は、有隔膜電解槽１０、一対の専用の貯溜タンク２０ａ，２０ｂ、被電解水の供給管路３０ａ、各電解生成水専用の導出管路３０ｂ，３０ｃを備えていて、各貯溜タンク２０ａ，２０ｂは専用の導出管路の途中に配設されている。当該電解水生成装置においては、被電解水として食塩の希薄水溶液を採用しているもので、供給管路３０ａの給水管路部３１の下流側に濃塩水を供給する供給管路部３２が接続されている。
【０００５】
被電解水を調製する原水は、給水源から減圧弁３３ａ、軟水器３３ｂ、フィルタ３３ｃ、減圧弁３３ｄおよびウォータバルブ３３ｅを通して流入し、この間、濃塩水は濃塩水タンク３４ａから塩水供給ポンプ３４ｂを通して、給水管路部３１のウォータバルブ３３ｅより下流側に供給される。濃塩水の供給量は、塩水供給ポンプ３４ｂの作用によって設定された供給流量に制御されていて、給水管路部３１の下流側の管路部内では設定された流量の原水と均一に混合して、設定された所定濃度の希薄食塩水が調製される。調製された希薄食塩水は被電解水として、各流量センサ３５ａ，３５ｂを経て有隔膜電解槽１０の各電解室に供給される。
【０００６】
有隔膜電解槽１０はそれ自体公知のもので、隔膜にて区画された一対の電解室１１，１２を備えている。各電解室１１，１２の上流側には、給水管路３０ａを構成する給水管路部３１の各分岐管路部が接続されている。また、各電解室１１，１２の下流側には、導出管路３０ｂ，３０ｃの上流側の導出管路部を構成する第１管路部３６ａ1，３６ｂ1が接続されている。また、上流側の導出管路部を構成する第１管路部３６ａ1，３６ｂ1と、第２管路部３６ａ2，３６ｂ2間には、流路切替弁３７が介装されている。第２管路部３６ａ2，３６ｂ2は、専用の貯溜タンク２０ａ，２０ｂにそれぞれ接続されている。各貯溜タンク２０ａ，２０ｂには、導出管路３０ｂ，３０ｃの下流側の導出管路部３７ａ，３７ｂが接続されていて、各導出管路部３７ａ，３７ｂの先端部と各注出管路３８ａ，３８ｂ間には、各注出弁３９ａ，３９ｂからなる注出弁装置３９が介装されている。
【０００７】
当該電解水生成装置の電解運転では、各電解室１１，１２に配設してある各電極に設定された一定の電圧を印加することにより、設定された電解条件の下で有隔膜電解が行われる。例えば、電解室１１が陽極側電解室で電解室１２が陰極側電解室である場合には、電解室１１で生成された電解生成酸性水は第１管路部３６ａ1および第２管路部３６ａ2を通して専用の貯溜タンク２０ａに導出されて貯溜タンク２０ａに貯溜される。また、電解室１２で生成された電解生成アルカリ性水は第１管路部３６ｂ1および第２管路部３６ｂ2を通して専用の貯溜タンク２０ｂに導出されて、貯溜タンク２０ｂに貯溜される。貯溜タンク２０ａ，２０ｂに一旦貯溜された電解生成酸性水および電解生成アルカリ性水は、注出弁３９ａ，３９ｂをそれぞれ開放することにより、下流側の導出管路部３７ａ，３７ｂおよび注出弁３９ａ，３９ｂを通して、各注出管路３８ａ，３８ｂに注出される。
【０００８】
当該電解水生成装置の電解運転において、各電解室１１，１２の各電極の極性を反転させて、電解室１１を陰極側電解室に変更させるとともに、電解室１２を陽極側電解室に変更させると、各電極の極性の反転に応じて流路切替弁３７が切替動作して、第１管路部３６ａ1を第２管路部３６ｂ2に接続するとともに、第１管路部３６ｂ1を第２管路部３６ａ2に接続する。この結果、電解室１１で生成される電解生成アルカリ性水は、第１管路部３６ａ1および第２管路部３６ｂ2を通して専用の貯溜タンク２０ｂに導出されて貯溜タンク２０ｂに貯溜される。また、電解室１２で生成された電解生成酸性水は、第１管路部３６ｂ1および第２管路部３６ａ2を通して専用の貯溜タンク２０ａに導出されて貯溜タンク２０ａに貯溜される。
【特許文献１】特開２００４−０３３８５０号公報
【特許文献２】特開２００５−０２４７６７号公報
【発明の開示】
【発明が解決しようとする課題】
【０００９】
このように、当該電解水生成装置においては、各電解生成水を専用の導出管路３０ｂ，３０ｃの第２管路部３６ａ2，３６ｂ2に導出させるためには流路切替弁３７が不可欠であり、また、各電解生成水を注出するためには、専用の各注出弁３９ａ．３９ｂが不可欠である。従来の電解水生成装置で使用されている最新の注出弁装置においては、各注出弁３９ａ，３９ｂを開閉動作させる手段として電動モータを採用しているため、各注出弁３９ａ，３９ｂを一体にしてなる注出弁装置３９は大型となり、また、電解生成アルカリ性水の専用の抽出管路部３７ｂおよび注出弁３９ｂにはスケールが付着することになる。
【００１０】
従って、本発明の目的は、当該電解水生成装置において、流路切替弁３７と同様に機能を有して流路切替弁の使用を省略することができる注出弁装置を提供することにあり、さらには、従来の注出弁装置３９より小型で廉価な注出弁装置をも提供することにある。
【課題を解決するための手段】
【００１１】
本発明は、電解生成水用の注出弁装置に関する。本発明が適用対象とする第１の注出弁装置は、有隔膜電解槽の各電解室にて生成される電解生成酸性水および電解生成アルカリ性水をそれぞれ導出する一対の導出管路と注出管路との間に介在し、設定された特性の電解生成水を選択して前記注出管路に注出する形式の電解生成水用の注出弁装置である。
【００１２】
しかして、本発明に係る第１の注出弁装置は、前記各導出管路に接続されて電解生成酸性水および電解生成アルカリ性水をそれぞれ導入する一対の導入通路と、前記各導入通路に連通するとともに前記注出管路に接続され導入された電解生成水を前記注出管路に注出する注出通路と、前記各導入通路と前記注出通路間に介在し所定量回転動作して前記各導入通路と前記注出通路の連通を選択的に切替える弁体を備え、前記弁体の非動作時には、前記各導入通路と前記注出通路の連通を遮断していることを特徴とする。
【００１３】
本発明に係る第１の注出弁装置においては、前記各導入通路と前記弁体間に介在する導入側弁部と、前記弁体と前記注出通路間に介在する注出側弁部を備える構成とし、前記導入側弁部には、前記各導入通路に常時対向する一対の導入孔を形成し、前記弁体には、同弁体の一方向および他方向への所定量の回転動作により前記導入側弁部の各導入孔に選択的に対向する連通孔を形成し、前記注出側弁部には、前記注出通路および前記弁体の連通孔に常時対向する円弧状で所定長さの注出孔を形成して、前記弁体の非動作時には電解生成酸性水および電解生成アルカリ性水の注出を停止し、前記弁体の一方向への所定量の回転動作時には電解生成酸性水を前記注出管路に注出し、前記弁体の他方向への所定量の回転動作時には電解生成アルカリ性水を前記注出管路に注出する構成とすることができる。
【００１４】
また、本発明に係る第１の注出弁装置においては、前記各導入通路と前記弁体間に介在する導入側弁部と、前記弁体と前記注出通路間に介在する注出側弁部を備える構成とし、前記導入側弁部には、前記各導入通路に常時対向する一対の導入孔を形成し、前記弁体には、周方向に所定間隔を保持する円弧状で所定長さを有する一対の連通孔であって、同弁体の一方向および他方向の所定量の回転動作により前記導入側弁部の各導入孔に選択的に対向するとともに、各連通孔のいずれかの連通孔はさらなる所定量の回転動作により前記導入側弁部の両導入孔に同時に対向する一対の連通孔を形成し、前記注出側弁部には、前記注出通路および前記各導入通路に常時対向する円弧状で所定長さの注出孔を形成して、前記弁体の非動作時には電解生成酸性水および電解生成アルカリ性水の注出を停止し、前記弁体の一方向への所定量の回転動作時には電解生成酸性水を前記注出管路に注出し、前記弁体の他方向への所定量の回転動作時には電解生成アルカリ性水を前記注出管路に注出し、前記弁体のさらなる所定量の回転動作時には電解生成酸性水と電解生成アルカリ性水とが混合された電解生成水を前記注出管路に注出する構成とすることができる。
【００１５】
また、本発明に係る第１の注出弁装置においては、前記弁体に形成する一方の連通孔を、周方向に所定長さ延びる円弧状の第１の連通孔部と、前記第１の連通孔部の一端からさらに周方向に所定長さ延びる円弧状で同第１の連通孔部より幅狭の第２の連通孔部とを有する構成とし、かつ、前記弁体に形成されている他方の連通孔を、周方向に所定長さ延びる円弧状の第１連通孔部と、前記第１連通孔部の一端から前記一方の連通孔の第２の連通孔部に向かってさらに周方向に所定長さ延びる円弧状で同第１連通孔部より幅狭の第２連通孔部とを有する構成として、前記弁体の非動作時には電解生成酸性水および電解生成アルカリ性水の注出を停止し、前記弁体の一方向への所定量の回転動作時には電解生成酸性水を前記注出管路に注出し、前記弁体の一方向へのさらなる回転動作時には電解生成酸性水に少量の電解生成アルカリ性水が混合した弱酸性の電解生成酸性水を前記注出管路に注出し、前記弁体の他方向への所定量の回転動作時には電解生成アルカリ性水を前記注出管路に注出し、前記弁体の他方向へのさらなる回転動作時には電解生成アルカリ性水に少量の電解生成酸性水が混合した弱アルカリ性の電解生成アルカリ性水を前記注出管路に注出し、前記弁体の一方向または他方向へのさらなる回転動作時には電解生成酸性水と電解生成アルカリ性水が同量混合した略中性の電解生成水を前記注出管路に注出する構成とすることができる。
【００１６】
一方、本発明が適用対象とする第２の注出弁装置は、有隔膜電解槽の各電解室にて生成される電解生成酸性水および電解生成アルカリ性水をそれぞれ導出する一対の導出管路と一対の注出管路との間に介在し、設定された特性の電解生成水を選択して前記各注出管路に注出する形式の電解生成水用の注出弁装置である。
【００１７】
しかして、本発明に係る第２の注出弁装置は、前記各導出管路に接続されて電解生成酸性水および電解生成アルカリ性水をそれぞれ導入する一対の導入通路と、前記各導入通路に連通するとともに前記各注出管路に接続され導入された各電解生成水を前記各注出管路にそれぞれ注出する注出通路と、前記各導入通路と前記各注出通路間に介在し所定量回転動作して前記各導入通路と前記各注出通路の連通を選択的に切替える弁体を備え、前記弁体の非動作時には、前記各導入通路と前記各注出通路の連通を遮断していることを特徴とするものである。
【００１８】
本発明に係る第２の注出弁装置においては、前記各導入通路と前記弁体間に介在する導入側弁部と、前記弁体と前記各注出通路間に介在する注出側弁部を備える構成とし、前記導入側弁部には、前記各導入管路に常時対向する一対の導入孔を形成し、前記注出側弁部には、前記注出通路に常時対向する一対の注出孔を形成し、前記弁体には、周方向に所定間隔を保持する円弧状で所定長さを有する一対の連通孔であって、同弁体の一方向および他方向の所定量の回転動作により前記導入側弁部の各導入孔と前記注出側弁部の各注出孔に選択的に対向する一対の連通孔を形成して、前記弁体の非動作時には電解生成酸性水および電解生成アルカリ性水の注出を停止し、前記弁体の一方向および他方向への所定量の回転動作時には各導入通路と各注出通路の連通を選択的に切替動作して、選定された各電解生成水を各注出管路に注出する構成とすることができる。
【００１９】
また、本発明に係る第２の注出弁装置においては、前記各導出管路に接続されて電解生成酸性水および電解生成アルカリ性水をそれぞれ導入する一対の導入通路と、前記各導入通路に連通するとともに前記各注出管路に接続され導入された各電解生成水を前記各注出管路にそれぞれ注出する注出通路と、前記各導入通路と前記各注出通路間に介在し所定量回転動作して前記各導入通路と前記各注出通路の部分的な連通を選択的に行う弁体を備える構成とし、前記弁体の非動作時には、前記各導入通路と前記各注出通路を連通して各電解生成水を専用の各注出管路に注出し、前記弁体の一方向および他方向への所定量の回転動作時には同一特性の電解生成水と特性の異なる電解生成水が異なる混合比で互いに混合した電解生成水とを各専用の注出管路に注出する構成とすることができる。
【００２０】
また、本発明に係る第２の注出弁装置においては、前記各導入通路と前記各注出通路が連通する部位に弁体を備える構成とし、前記弁体には中心部を通って前記各導入通路と前記各注出通路が連通する部位に直線状に臨んで開口する連通孔を形成して、前記弁体の非動作時には電解生成酸性水および電解生成アルカリ性水を専用の注出通路を通して専用の注出管路に注出し、前記弁体の一方向への所定量の回転動作時には一方の導入通路を他方の注出通路に連通して電解生成アルカリ性水に電解生成酸性水の一部が混合した弱アルカリ性の電解生成アルカリ性水を他方の注出通路を通して専用の注出管路に注出するとともに、電解生成酸性水を一方の注出通路を通して専用の注出管路に注出し、前記弁体の他方向への所定量の回転動作時には他方の導入通路を一方の注出通路に連通して電解生成酸性水に電解生成アルカリ性水の一部が混合した弱酸性の電解生成酸性水を一方の注出通路を通して専用の注出管路に注出するとともに、電解生成アルカリ性水を他方の注出通路を通して専用の注出管路に注出する構成とすることができる。
【００２１】
なお、本発明に係る第１の注出弁装置においては、前記注出管路の先端に接続される注出ノズルに発光色の異なる複数の発光素子を内蔵して、注出される電解生成水の特性に応じて異なる色に発光する構成とすることができる。また、本発明に係る第２の注出弁装置においては、前記各注出通路に接続される各注出管の先端に接続される各注出ノズルに発光色の異なる発光素子をそれぞれ内蔵して、注出される電解生成水の特性に応じて異なる色に発光させる構成とすることができる。これらの場合には、電解生成水の非注出時には発光素子の発光を停止し、特性の安定な電解生成水が注出している状態では発光素子を発光させ、特性が安定していない電解生成水が注出している状態では発光素子の発光を点滅させるように制御することができる。
【発明の効果】
【００２２】
本発明に係る第１の注出弁装置は、弁体を非動作位置から一方向または他方向へ回転動作させることにより、設定された特性の電解生成水を選択的に注出することができる。このため、第１の注出弁装置は、弁本体の構成が簡単で、弁体を回転動作させる駆動手段（電動モータ）が１つでよく、２台の弁装置を一体にして使用している従来の注出弁装置に比較して大幅に小型化することができ、これに合わせて、弁体の駆動を制御する制御装置も簡単化することができ、また、注出弁装置を廉価に提供することができる利点もある。
【００２３】
また、本発明に係る第１の注出弁装置を採用する場合、各種タイプの注出弁装置を選択して使用すれば、電解生成酸性水および電解生成アルカリ性水のみならず、弱酸性の電解生成酸性水、弱アルカリ性の電解生成アルカリ性水、略中性の電解生成水（次亜塩素酸ナトリウム水溶液）等、特性の異なる多くの種類の電解生成水を注出することができる。また、これらの注出弁装置を使用することにより、有隔膜電解式の電解水生成装置にとって不可欠とされている、有隔膜電解槽の下流側の流出管路に配設される流路切替弁の使用を省略することもできる。
【００２４】
また、本発明に係る第２の注出弁装置は、第１の注出弁装置と同様、従来の注出弁装置に比較して大幅に小型化することができ、これに合わせて、弁体の駆動を制御する制御装置も簡単化することができ、また、注出弁装置を廉価に提供することができる。
【００２５】
また、本発明に係る第２の注出弁装置は、上記した流路切替弁の機能と注出機能を合わせ持っている。このため、第２の注出弁装置を使用すれば、当該流路切替弁の使用を省略することができる。また、本発明に係る第２の注出弁装置を採用する場合、各種タイプの注出弁装置を選択して使用すれば、電解生成酸性水および電解生成アルカリ性水のみならず、弱酸性の電解生成酸性水および電解生成アルカリ性水、弱アルカリ性の電解生成アルカリ性水および電解生成酸性水等をも注出することができる。
【００２６】
なお、本発明に係る第１、第２の注出弁装置において、注出管路の先端部に発光素子を内蔵する注出ノズルを接続した注出弁装置を使用すれば、注出管路に選択的に注出される電解生成水の特性を容易に視認することができて、使い勝手が極めてよいという利点がある。
【発明を実施するための最良の形態】
【００２７】
本発明は、電解生成水用の注出弁装置に関する。本発明に係る第１の注出弁装置は、有隔膜電解槽の各電解室にて生成される電解生成酸性水および電解生成アルカリ性水をそれぞれ導出する一対の導出管路と注出管路との間に介在し、設定された特性の電解生成水を選択して前記注出管路に注出する形式の電解生成水用の注出弁装置である。また、本発明に係る第２の注出弁装置は、有隔膜電解槽の各電解室にて生成される電解生成酸性水および電解生成アルカリ性水をそれぞれ導出する一対の導出管路と一対の注出管路との間に介在し、設定された特性の電解生成水を選択して前記各注出管路に注出する形式の電解生成水用の注出弁装置である。
【００２８】
本発明に係る第１の注出弁装置と第２の注出弁装置の構成上の基本的な相違点は、第１の注出弁装置にあっては注出通路が１つであるのに対して、第２の注出弁装置にあっては注出通路が２つである点にあり、他の構成上の特徴は類似する構成である。本発明に係る第１の注出弁装置は、例えば、図２に示す電解水生成装置の注出弁装置として採用され、本発明に係る第２の注出弁装置は、例えば、図１１に示す電解水生成装置の注出弁装置として採用される。
【００２９】
本発明に係る第１の注出弁装置である第１注出弁装置１００は、図３に示すように、２導入通路−１注出通路方式のもので、図２に示す電解水生成装置の導出管路３０ｂ，３０ｃを構成する下流側管路部３６ｃ，３６ｄと注出管路３０ｄ間に介在して、各導入通路が各下流側管路部３６ｃ，３６ｄの下流側端部に接続され、かつ、注出通路が注出管路３０ｄの上流側端部に接続されている。
【００３０】
図２に示す電解水生成装置は、図１に示す従来の電解水生成装置に比較して、流路切替弁３７を備えていない点、各貯溜タンク２０ａ，２０ｂが専用の貯溜タンクでない点、および、注出弁装置３９に替えて本発明に係る第１の注出弁装置である第１注出弁装置１００が採用されている点においては相違するが、これらの点を除けば類似する構成のものである。従って、当該電解水生成槽には、従来の電解水生成装置（図１参照）で使用している符号を援用することによって、その詳細な説明を省略し、当該電解水生成装置の電解運転、および、電解生成水の選択的な注出について主として説明する。
【００３１】
当該電解水生成装置は、希薄食塩水を被電解水とするもので、当該電解水生成装置の電解運転では、各電解室１１，１２に配設してある各電極に設定された一定の電圧を印加することにより、設定された電解条件の下で有隔膜電解が行われる。例えば、電解室１１が陽極側電解室で電解室１２が陰極側電解室である場合には、電解室１１で生成された電解生成酸性水は導出管路３０ｂの上流側管路部３６ａを通して貯溜タンク２０ａに導出されて貯溜タンク２０ａに貯溜される。また、電解室１２で生成された電解生成アルカリ性水は導出管路３０ｃの上流側管路部３６ｂを通して貯溜タンク２０ｂに導出されて、貯溜タンク２０ｂに貯溜される。貯溜タンク２０ａ，２０ｂに一旦貯溜された電解生成酸性水および電解生成アルカリ性水は、第１注出弁装置１００を開放操作することにより注出管路３０ｄに選択的に注出される。
【００３２】
当該電解水生成装置の電解運転において、各電解室１１，１２の各電極の極性を定期的に反転させて、電解室１１を陰極側電解室に変更させるとともに、電解室１２を陽極側電解室に変更させる。この結果、電解室１１では電解生成アルカリ性水が生成され、生成された電解生成アルカリ性水は上流側流出管路３６ａを通って貯溜タンク２０ａに貯溜されるとともに、電解室１２では電解生成酸性水が生成され、生成された電解生成酸性水は上流側流出管路３６ｂを通って貯溜タンク２０ｂに貯溜される。
【００３３】
この場合、貯溜タンク２０ａにおいては、切替弁２１を切替えて、内部に残留する電解生成酸性水を完全に排出し、その後、電解生成アルカリ性水を貯溜するようにする。また、貯溜タンク２０ｂにおいては、切替弁２２を切替えて、内部に残留する電解生成アルカリ性水を完全に排出し、その後、電解生成酸性水を貯溜するようにする。
【００３４】
しかして、第１注出弁装置１００は、図３および図４に示すように、弁本体１００ａ、および、弁本体１００ａを構成する弁体を回転駆動させる駆動機構１００ｂにて構成されている。弁本体１００ａは、導入側ケース１１０，導入側弁部１２０、弁体１３０、注出側弁部１４０、および、注出側ケース１５０を備えている。
【００３５】
導入側ケース１１０は、軸方向に延びて開口する円筒状の本体１１１と、本体１１１の奥壁部の中心部から一方に延びる円筒状の突起部１１２および他方に延びる段付き状の突起部１１３を備えるとともに、本体１１１の奥壁部の下方部には、同下方部を貫通して一方へ並列して延びる左右一対の導入通路１１４，１１５を備えている。導入側弁部１２０は、円板状のシール部材からなるもので、中心部には、導入側ケース１１０の 段付き状の突起部１１３に対向する角状の嵌合孔１２１と、導入側ケース１１０の各導入通路１１４，１１５に対向する一対の円形状の導入孔１２２，１２３を備えている。
【００３６】
弁体１３０は、円形状の弁体部１３１と、弁体部１３１の中心部ら他方へ延びる段付き状の支持軸１３２を備えるとともに、弁体部１３１の中心部には、導入側ケース１１０の 段付き状の突起部１１３に対向する角状の嵌合孔１３３と、導入側弁部１２０の各導入孔１２２，１２３に選択的に対向可能な円形状の連通孔１３４を備えている。注出側弁部１４０は、円板状のシール部材からなるもので、中心部には弁体１３０の支持軸１３２に対向する角状の貫通孔１４１と、導入側弁部１２０の各導入孔１２２，１２３、および、弁体１３０の連通孔１３４に常時対向する円弧状の注出孔１４２を備えている。
【００３７】
注出側ケース１５０は、軸方向に延びて開口する円筒状の本体１５１と、本体１５１の奥壁部の中央部を他方向に延びて両方向に開口する支持筒１５２と、本体１５１の奥壁部の底部に開口するとともに下方に延びて開口する注出通路１５３を備えている。
【００３８】
第１注出弁装置１００においては、注出側弁部１４０が注出側ケース１５０の本体１５１の内部に嵌合されて奥壁部の当接して収容され、弁体１３０がその支持軸１３２を注出側弁部１４０の貫通孔１４１、および、注出側ケース１５０の支持筒１５２を液密的に貫通させて本体１５１内に嵌合されて収容され、導入側弁部１２０が本体１５１の内部に嵌合されて弁体１３０の弁体部１３１に当接して収容され、導入側ケース１１０が本体１５１内に液密的に嵌合されてその突起部１１３を導入側弁部１２０の嵌合孔１２１、および、弁体１３０の支持孔１３２に嵌合されて収容されている。この状態で、導入側ケース１１０の突起部１１２に押圧プレート１０１を外嵌するとともに、コイル状の圧縮スプリング１０２を外嵌し、蓋体１０３を導入側ケース１１０の各導入通路１１４，１１５に外嵌した状態で取付けられている。
【００３９】
駆動機構１００ｂは、当該弁本体１００ａに搭載されている。駆動機構１００ｂは、ギヤモータ１６０、ギヤ列１７０、および、フォトセンサー１８０を備えていて、ギヤモータ１６０は、注出弁装置１００の図示しないハウジング内に取付けられている。ギヤ列１７０を構成する小径の入力ギヤ１７１は、ギアモータ１６０の出力軸１６１上に一体回転可能に取付けられていて、弁体１３０の支持軸１３２上に一体回転可能に取付けられている大径の出力ギヤ１７２と噛合している。フォトセンサー１８０は、センサー本体１８１とセンサー用スリット板１８２からなり、センサ本体１８１は図示しないハウジング内に取付けらており、また、スリット板１８２は弁体１３０の支持軸１３２上にスペーサ１０４を介して一体回転可能に取付けられている。センサー本体１８１は、スリット板１８２の外周縁部に所定間隔を保持した状態で遊嵌している。
【００４０】
駆動機構１００ｂを構成するギヤモータ１６０は、図示しない制御装置によってその駆動を制御されるもので、制御装置は、ギヤモータ１６０が設定された回転量に達したことをフォトセンサー１８０が検知すると、ギヤモータ１６０の駆動を停止する。当該制御装置は、駆動信号が入力されるとギヤモータ１６０を駆動する。ギヤモータ１６０が駆動すると、ギヤモータ１６０の駆動力はギヤ列１７０の入力ギヤ１７１から出力ギヤ１７２に伝達されて、弁本体１００ａを構成する弁体１３０を回転する。なお、当該制御装置の機能の詳細については後述する。
【００４１】
かかる構成の第１注出弁装置１００は、図２に示すように、各導出管路３０ｂ、３０ｃの下流側管路部３６ｃ，３６ｄと注出管路３０ｄ間に配設され、導入側ケース１１０の各導入通路１１４，１１５を各下流側管路部３６ｃ，３６ｄに接続するとともに、注出側ケース１５０の注出通路１５３を注出管路３０ｄに接続して使用される。第１注出弁装置１００は、当該電解水生成装置が搭載する制御装置によって、その作動を制御される。当該制御装置は、電解生成水を注出すべき指令信号に基づいて、駆動機構１００ｂを構成するギヤモータ１６０を駆動して、弁本体１００ａを構成する弁体１３０を回転駆動する。この場合、制御装置はフォトセンサー１８０と協働して、弁体１３０を、指定された電解生成水の種類の応じて一方または他方へ所定量回転する制御を行う。
【００４２】
第１注出弁装置１００は、非動作時には電解生成水の注出を停止していて、電解生成水の注出時には、指定された特性の電解生成水を注出通路１５３に注出する。換言すれば、電解生成酸性水および電解生成アルカリ性水が選択的に、注出通路１５３を通して注出管路３０ｄに注出される。このため、当該電解水生成装置には、電解生成酸性水と電解生成アルカリ性水を選択して注出するための、両者用の各注出スイッチがそれぞれ配設されている。
【００４３】
当該電解水生成装置においては、消費者が電解生成水を採取したい場合には、上記した両スイッチのうちの所望する注出用のスイッチを選択して入れる。これにより、制御装置は、送水ポンプ２３，２４のいずれかを駆動させるとともに、弁体１３０をいずれかの方向へ所定量回転させて、注出弁装置１００は、消費者が選択した特性の電解生成水を注出管路３０ｄに注出する。図５には、弁体１３０の非動作時および動作時における導入側弁部１２０と注出側弁部１４０との位置関係を示している。
【００４４】
なお、図５では、導入側弁部１２０の各導入孔１２２，１２３、弁体１３０の連通孔１３４、および、注出側弁部１４０の注出孔１４２の対向関係を明確に示すために、弁体１３０の連通孔１３４を実線で示し、注出側弁部１４０の注出孔１４２を１点鎖線で示し、導入側弁部１２０の各導入孔１２２，１２３を２点鎖線で表示している。
【００４５】
当該電解水生成装置においては、有隔膜電解槽の電解室１１を陽極側とし電解室１２を陰極側とする電解を終了して、貯溜タンク２０ａ内には電解生成酸性水が満タンの状態にあり、貯溜タンク２０ｂ内には電解生成アルカリ性水が満タンの状態にあって、第１注出弁装置１００は非作動の状態にあるとする。
【００４６】
この場合、第１注出弁装置１００の弁本体１００ａを構成する弁体１３０は非動作の状態にあって、図５（ａ）に示すように中立位置を保持している。弁体１３０が中立位置を保持している状態では、弁体１３０の連通孔１３４は導入側弁部１２０の各導入孔１２２，１２３のいずれにも対向しておらず、各導入孔１２２，１２３のいずれもが注出側弁部１４０の注出孔１４２とは連通していない。このため、各電解生成水の注出管路３０ｄへの注出は遮断された状態にある。
【００４７】
消費者は、電解生成酸性水を採取すべく、電解生成酸性水用の注出スイッチを選択して押動操作して閉じると、制御装置は当該指示信号に基づいて、貯溜タンク２０ａ側の送水ポンプ２３を駆動するとともに、弁本体１００ａの弁体１３０を図示時計回り方向へ所定量（本実施形態では４５度）回転駆動させる。この結果、図５（ｂ）に示すように、弁体１３０の連通孔１３４は、導入側弁部１２０の一方の導入孔１２２に対向して、導入孔１２２を弁体１３０の連通孔１３４を通して、注出側弁部１４０の注出孔１４２に連通させる。この結果、貯溜タンク２０ａから導出管路３０ｂの下流側導出管路部３６ｃを通って導入側ケース１１０の導入通路１１４に導入された電解生成酸性水は、注出側弁部１４０の注出孔１４２、および、注出側ケース１５０の注出通路１５３を通って注出管路３０ｄに注出される。
【００４８】
また、消費者は、電解生成酸性水を所望量採取した場合には、例えば、注出スイッチを再度押動操作して開くと、制御装置は、当該指示信号に基づいて、貯溜タンク２０ａ側の送水ポンプ２３の駆動を停止するとともに、弁体１３０を図示反時計回り方向へ所定量（本実施形態では４５度）回転して中立位置に復帰させ、弁体１３０の連通孔１３４を、導入側弁部１２０の各導入孔１２２，１２３のいずれにも対向しない位置状態とする。この結果、各電解生成水の注出管路３０ｄへの注出を遮断状態となる。
【００４９】
一方、消費者は、電解生成アルカリ性水を採取すべく、電解生成アルカリ水用の注出スイッチを選択して押動操作して閉じると、制御装置は当該指示信号に基づいて、貯溜タンク２０ｂ側の送水ポンプ２４を駆動するとともに、弁本体１００ａの弁体１３０を中立位置から図示反時計回り方向へ所定量（本実施形態では４５度）回転駆動させる。
【００５０】
この結果、図５（ｃ）に示すように、弁体１３０の連通孔１３４は、導入側弁部１２０の他方の導入孔１２３に対向して、導入孔１２３を弁体１３０の連通孔１３４を通して、注出側弁部１４０の注出孔１４２に連通させる。この結果、貯溜タンク２０ｂから導出管路３０ｃの下流側導出管路部３６ｄを通って導入側ケース１１０の導入通路１１４に導入された電解生成酸性水は、注出側弁部１４０の注出孔１４２、および、注出側ケース１５０の注出通路１５３を通って注出管路３０ｄに注出される。
【００５１】
また、消費者は、電解生成アルカリ性水を所望量採取した場合には、例えば、当該注出スイッチを再度押動操作して開くと、制御装置は、当該指示信号に基づいて、貯溜タンク２０ｂ側の送水ポンプ２４の駆動を停止するとともに、弁体１３０を図示時計回り方向へ所定量（本実施形態では４５度）回転して中立位置に復帰させ、弁体１３０の連通孔１３４を、導入側弁部１２０の各導入孔１２２，１２３のいずれにも対向しない位置状態とする。この結果、各電解生成水の注出管路３０ｄへの注出は遮断状態となる。
【００５２】
なお、当該電解水生成装置の電解運転において、各電解室１１，１２の各電極の極性を定期的に反転させて、電解室１１を陰極側電解室に変更させるとともに、電解室１２を陽極側電解室に変更させる電解運転を採っている。このため、各電解室１１，１２の各電極の極性を反転させた電解運転では、電解室１１では電解生成アルカリ性水が生成され、生成された電解生成アルカリ性水は上流側流出管路３６ａを通って貯溜タンク２０ａに貯溜されるとともに、電解室１２では電解生成酸性水が生成され、生成された電解生成酸性水は上流側流出管路３６ｂを通って貯溜タンク２０ｂに貯溜される。
【００５３】
この場合、貯溜タンク２０ａにおいては、切替弁２１を切替えて、内部に残留する電解生成酸性水を完全に排出し、その後、電解生成アルカリ性水を貯溜するようにする。また、貯溜タンク２０ｂにおいては、切替弁２２を切替えて、内部に残留する電解生成アルカリ性水を完全に排出し、その後、電解生成酸性水を貯溜するようにしている。
【００５４】
当該電解運転では、制御装置は電極を反転させた電解運転の開始を記憶し、各電解生成水の注出時には、当該記憶に基づいて、送水ポンプ２３，２４の駆動を制御し、かつ、注出弁装置１００の弁本体１００ａを構成する弁体１３０の回転駆動を制御する。
【００５５】
このように、第１注出弁装置１００においては、弁体１３０が中立位置（非動作位置）にある場合には各電解生成水の注出を遮断し、弁体１３０を中立位置から一方向または他方向へ所定量回転動作させることにより、設定された特性の電解生成水を選択的に注出することができる。
【００５６】
このため、第１注出弁装置１００は、弁本体１００ａ自体を簡単な構成とすることができる。また、弁体１３０を回転動作させる駆動機構１００ｂは、１台のギヤモータ１６０、１系列のギヤ列１７０、１組のフォトセンサーでよく、駆動機構１００ｂ自体を簡単な構成とすることができる。この結果、簡単な構成の弁本体１００ａと簡単な構成の駆動機構１００ｂとからなる第１注出弁装置１００は、一対の注出弁および一対の駆動機構からなる従来の注出弁装置に比較して大幅に小型化することができるとともに、価格を大幅に低減することができる。
【００５７】
本発明に係る第１の注出弁装置である第２注出弁装置１００Ａは、弁体を除き、基本的には、第１注出弁装置１００と同一の構成部材にて構成されている。第２注出弁装置１００Ａを構成する弁本体は、図６に示すように、導入側ケース１１０Ａ、導入側弁部１２０Ａ、弁体１３０Ａ、注出側弁部１４０Ａ、および、注出側ケース１５０Ａを備えている。導入側ケース１１０Ａ、導入側弁部１２０Ａ、注出側弁部１４０Ａ、および、注出側ケース１５０Ａは、第１注出弁装置１００を構成する導入側ケース１１０、導入側弁部１２０、注出側弁部１４０、および、注出側ケース１５０と同一の部材である。
【００５８】
これに対して、弁体１３０Ａは、一対の円弧状の連通孔１３５，１３６を有する点でのみ、弁体１３０とは異なる構成となっている。弁体１３０Ａが有する連通孔１３５，１３６は、周方向に互いに所定量離間して形成されていて、導入側弁部１２０Ａが有する一対の導入孔１２２，１２３の外側に位置していて、弁体１３０Ａが回転駆動した場合には、弁体１３０とは導入側弁部の導入孔１２２，１２３と注出側弁部の注出孔１４２との連通関係を異にする。
【００５９】
第２注出弁装置１００Ａは、電解生成酸性水、電解生成アルカリ性水、および、略中性の電解生成水（次亜塩素酸ナトリウム水溶液）の３種類の電解生成水を選択的に注出する機能を有するもので、第２注出弁装置１００Ａが非作動の状態にある場合には、弁体１３０Ａも非動作の状態にあって、図７（ａ）に示すように中立位置を保持している。弁体１３０Ａが中立位置を保持している状態では、弁体１３０Ａの各連通孔１３５、１３６は導入側弁部１２０Ａの各導入孔１２２，１２３のいずれにも対向しておらず、各導入孔１２２，１２３のいずれもが注出側弁部１４０Ａの注出孔１４２とは連通していない。このため、各電解生成水の注出管路３０ｄへの注出は遮断状態にある。
【００６０】
消費者は、電解生成アルカリ水を採取すべく、電解生成アルカリ性水用の注出スイッチを選択して押動操作して閉じると、制御装置は当該指示信号に基づいて、貯溜タンク２０ｂ側の送水ポンプ２４を駆動するとともに、弁体１３０Ａを図示時計回り方向へ所定量（本実施形態では４１度）回転駆動させる。
【００６１】
この結果、図７（ｂ）に示すように、弁体１３０Ａの他方の連通孔１３６は、導入側弁部１２０Ａの他方の導入孔１２３に対向して、導入孔１２３を弁体１３０Ａの連通孔１３６を通して、注出側弁部１４０Ａの注出孔１４２に連通させる。この結果、貯溜タンク２０ｂから導出管路３０ｂの下流側導出管路部３６ｄを通って導入側ケース１１０Ａの導入通路１１５に導入された電解生成アルカリ性水は、導入側弁部１２０Ａの他方の導入孔１２３、弁体１３０Ａの連通孔１３６、注出側弁部１４０Ａの注出孔１４２、および、注出側ケース１５０Ａの注出通路１５３を通って注出管路３０ｄに注出される。
【００６２】
消費者は、電解生成アルカリ性水を所望量採取した場合には、例えば、当該注出スイッチを再度押動操作して開くと、制御装置は、当該指示信号に基づいて、貯溜タンク２０ｂ側の送水ポンプ２４の駆動を停止するとともに、弁体１３０Ａを図示反時計回り方向へ所定量（本実施形態では４１度）回転して中立位置に復帰させ、弁体１３０Ａの連通孔１３５，１３６を、導入側弁部１２０Ａの各導入孔１２２，１２３のいずれにも対向しない位置状態とする。この結果、各電解生成水の注出管路３０ｄへの注出は遮断状態となる。
【００６３】
一方、消費者は、電解生成酸性水を採取すべく、電解生成酸性水用の注出スイッチを選択して押動操作して閉じると、制御装置は当該指示信号に基づいて、貯溜タンク２０ａ側の送水ポンプ２３を駆動するとともに、弁体１３０Ａを中立位置から図示反時計回り方向へ所定量（本実施形態では４１度）回転駆動させる。
【００６４】
この結果、図７（ｃ）に示すように、弁体１３０Ａの一方の連通孔１３５は、導入側弁部１２０Ａの一方の導入孔１２２に対向して、導入孔１２２を弁体１３０Ａの連通孔１３５を通して、注出側弁部１４０の注出孔１４２に連通させる。この結果、貯溜タンク２０ａから導出管路３０ｃの下流側導出管路部３６ｃを通って導入側ケース１１０Ａの導入通路１１４に導入された電解生成酸性水は、導入側弁部１２０Ａの他方の導入孔１２２、弁体１３０Ａの連通孔１３５、注出側弁部１４０Ａの注出孔１４２、および、注出側ケース１５０の注出通路１５３を通って注出管路３０ｄに注出される。
【００６５】
消費者は、電解生成酸性水を所望量採取した場合には、例えば、当該注出スイッチを再度押動操作して開くと、制御装置は、当該指示信号に基づいて、貯溜タンク２０ａ側の送水ポンプ２３の駆動を停止するとともに、弁体１３０Ａを図示時計回り方向へ所定量（本実施形態では４１度）回転して中立位置に復帰させ、弁体１３０Ａの連通孔１３５，１３６を、導入側弁部１２０Ａの各導入孔１２２，１２３のいずれにも対向しない位置状態とする。この結果、各電解生成水の注出管路３０ｄへの注出は遮断状態となる。
【００６６】
また、消費者は、略中性の電解生成水を採取すべく、当該電解生成水用の注出スイッチを選択して押動操作して閉じると、制御装置は当該指示信号に基づいて、各貯溜タンク２０ａ，２０ｂ側の送水ポンプ２３，２４を駆動するとともに、弁体１３０Ａを中立位置から図示時計回り方向へ所定量（本実施形態では１０２度）回転駆動させる。この結果、図７（ｄ）に示すように、弁体１３０Ａの他方の連通孔１３６は、導入側弁部１２０Ａの各導入孔１２２，１２３に同時に対向して、導入孔１２２，１２３を弁体１３０Ａの連通孔１３５を通して、注出側弁部１４０の注出孔１４２に連通させる。
【００６７】
この結果、貯溜タンク２０ａ、２０ｂから導出管路３０ｂ，３０ｃの下流側導出管路部３６ｃ、３６ｄを通って導入側ケース１１０の導入通路１１４，１１５に導入された電解生成酸性水および電解生成アルカリ性水は、導入側弁部１２０Ａの各導入孔１２２，１２３を通って弁体１３０Ａの連通孔１３５で合体し、略中性の電解生成水として、注出側弁部１４０Ａの注出孔１４２、および、注出側ケース１５０Ａの注出通路１５３を通って注出管路３０ｄに注出される。
【００６８】
消費者は、略中性の電解生成水を所望量採取した場合には、例えば、当該注出スイッチを再度押動操作して開くと、制御装置は、当該指示信号に基づいて、各貯溜タンク２０ａ，２０ｂ側の送水ポンプ２３，２４の駆動を停止するとともに、弁体１３０Ａを図示反時計回り方向へ所定量（本実施形態では１０２度）回転して中立位置に復帰させて、弁体１３０Ａの連通孔１３５，１３６を、導入側弁部１２０Ａの各導入孔１２２，１２３のいずれにも対向しない位置状態とする。この結果、各電解生成水の注出管路３０ｄへの注出は遮断状態となる。
【００６９】
なお、略中性の電解生成水を採取する場合には、弁体１３０Ａを中立位置から図示反時計回り方向へ所定量（本実施形態では１０２度）回転駆動させる制御を行っているが、この制御に替えて、弁体１３０Ａを中立位置から図示時計回り方向へ所定量（１０２度）回転駆動させる制御を行うようにしてもよい。
【００７０】
本発明に係る第１の注出弁装置である第３注出弁装置１００Ｂは、第２注出弁装置１００Ａと同様、弁体を除き、基本的には、第１注出弁装置１００と同一の構成部材にて構成されている。第３注出弁装置１００Ｂを構成する弁本体は、図８に示すように、導入側ケース１１０Ｂ、導入側弁部１２０Ｂ、弁体１３０Ｂ、注出側弁部１４０Ｂ、および、注出側ケース１５０Ｂを備えている。導入側ケース１１０Ｂ、導入側弁部１２０Ｂ、注出側弁部１４０Ｂ、および、注出側ケース１５０Ｂは、第１注出弁装置１００を構成する導入側ケース１１０、導入側弁部１２０、注出側弁部１４０、および、注出側ケース１５０と同一の部材である。これに対して、弁体１３０Ｂは、一対の円弧状の連通孔１３７，１３８を有する点でのみ弁体１３０とは異にし、かつ、弁体１３０Ａとは類似している。
【００７１】
弁体１３０Ｂが有する連通孔１３７，１３８は、周方向に互いに所定量離間して形成されているもので、円弧状に所定長さ延びる第１連通孔部１３７ａ、１３８ａと、さらに円弧状に延びる第１連通孔部１３７ａ、１３８ａより幅狭の第２連通孔部１３７ｂ，１３８ｂからなる構成のものである。当該弁体１３０Ｂは、第２注出弁装置１００Ａを構成する弁体１３０Ａとは類似する構成のもので、連通孔１３７，１３８の形状が連通孔１３５，１３６の形状とは、第２連通孔部１３７ｂ，１３８ｂを有する点でのみ相違する。
【００７２】
第２注出弁装置１００Ｂは、電解生成酸性水、弱酸性の電解生成酸性水、略中性の電解生成水、電解生成アルカリ性水、および、弱アルカリ性の電解生成アルカリ性水の５種類の電解生成水を選択的に注出する機能を有するもので、第３注出弁装置１００Ｂが非作動の状態にある場合には、弁体１３０Ｂも非動作の状態にあって、図９（ａ）に示すように、弁体１３０Ｂを中立位置を保持している。弁体１３０Ｂが中立位置にある状態では、弁体１３０Ｂの各連通孔１３７、１３８は導入側弁部１２０Ｂの各導入孔１２２，１２３のいずれにも対向しておらず、各導入孔１２２，１２３のいずれもが注出側弁部１４０Ｂの注出孔１４２とは連通していない。このため、各電解生成水の注出管路３０ｄへの注出は遮断状態にある。
【００７３】
消費者は、電解生成アルカリ水を採取すべく、電解生成アルカリ性水用の注出スイッチを選択して押動操作して閉じると、制御装置は当該指示信号に基づいて、貯溜タンク２０ｂ側の送水ポンプ２４を駆動するとともに、弁体１３０Ｂを図示時計回り方向へ所定量（本実施形態では６３度）回転駆動させる。この結果、図９（ｂ）に示すように、弁体１３０Ｂの他方の連通孔１３８の第１連通孔部１３８ａは、導入側弁部１２０Ｂの他方の導入孔１２３に対向して、導入孔１２３を弁体１３０Ｂの連通孔１３８の第１連通孔部１３８ａを通して、注出側弁部１４０Ｂの注出孔１４２に連通させる。
【００７４】
この結果、貯溜タンク２０ｂから導出管路３０ｃの下流側導出管路部３６ｄを通って導入側ケース１１０の導入通路１１５に導入された電解生成アルカリ性水は、導入側弁部１２０Ｂの他方の導入孔１２３、弁体１３０Ｂの連通孔１３８における第１連通孔部１３８ａ、注出側弁部１４０Ｂの注出孔１４２、および、注出側ケース１５０の注出通路１５３を通って注出管路３０ｄに注出される。
【００７５】
消費者は、電解生成アルカリ性水を所望量採取した場合には、例えば、当該注出スイッチを再度押動操作して開くと、制御装置は、当該指示信号に基づいて、貯溜タンク２０ｂ側の送水ポンプ２４の駆動を停止するとともに、弁体１３０Ｂを図示反時計回り方向へ所定量（本実施形態では６３度）回転して中立位置に復帰させ、弁体１３０Ｂの連通孔１３７，１３８を、導入側弁部１２０Ｂの各導入孔１２２，１２３のいずれにも対向しない位置状態とする。この結果、各電解生成水の注出管路３０ｄへの注出は遮断状態となる。
【００７６】
また、消費者は、弱アルカリ性の電解生成アルカリ性水を採取すべく、弱アルカリ性の電解生成アルカリ性水用の注出スイッチを選択して押動操作して閉じると、制御装置は当該指示信号に基づいて、貯溜タンク２０ａ，２０ｂ側の送水ポンプ２３，２４を駆動するとともに、弁体１３０Ｂを図示時計回り方向へ所定量（本実施形態では９５度）回転駆動させる。この結果、図９（ｃ）に示すように、弁体１３０Ｂの他方の連通孔１３８の第１連通孔部１３８ａは導入側弁部１２０Ｂの他方の導入孔１２３に対向するとともに、第２連通孔部１３８ｂは導入側弁部１２０Ｂの一方の導入孔１２２に対向する。
【００７７】
このため、導入側弁部１２０Ｂの各導入孔１２２，１２３は、弁体１３０Ｂの連通孔１３８の第２連通孔部１３８ｂおよび第１連通孔部１３８ａを通して、注出側弁部１４０Ｂの注出孔１４２に連通させる。この結果、貯溜タンク２０ｂから導出管路３０ｃの下流側導出管路部３６ｄを通って導入側ケース１１０の導入通路１１５に導入された電解生成アルカリ性水は、導入側弁部１２０Ｂの他方の導入孔１２３、弁体１３０Ｂの連通孔１３８の第１連通孔部１３８ａを通って注出側弁部１４０Ｂの注出孔１４２に導入されるとともに、貯溜タンク２０ａから導出管路３０ｂの下流側導出管路部３６ｃを通って導入側ケース１１０の導入通路１１４に導入された電解生成酸性性水は、導入側弁部１２０Ｂの一方の導入孔１２２、弁体１３０Ｂの連通孔１３８の第２連通孔部１３８ｂを通って注出側弁部１４０Ｂの注出孔１４２に導入される。
【００７８】
当該注出孔１４２では、大量の電解生成アルカリ性水に少量の電解生成酸性水が混合して弱アルカリ性の電解生成アルカリ性水が調製され、生成された弱アルカリ性の電解生成アルカリ性水は注出側ケース１５０の注出通路１５３を通って注出管路３０ｄに注出される。
【００７９】
消費者は、弱アルカリ性の電解生成アルカリ性水を所望量採取した場合には、例えば、当該注出スイッチを再度押動操作して開くと、制御装置は、当該指示信号に基づいて、各貯溜タンク２０ａ，２０ｂ側の送水ポンプ２３，２４の駆動を停止するとともに、弁体１３０Ｂを図示反時計回り方向へ所定量（本実施形態では９５度）回転して中立位置に復帰させて、弁体１３０Ｂの連通孔１３７，１３８を、導入側弁部１２０Ｂの各導入孔１２２，１２３のいずれにも対向しない位置状態とする。この結果、各電解生成水の注出管路３０ｄへの注出は遮断状態となる。
【００８０】
一方、消費者は、電解生成酸性水を採取すべく、電解生成酸性水用の注出スイッチを選択して押動操作して閉じると、制御装置は当該指示信号に基づいて、貯溜タンク２０ａ側の送水ポンプ２３を駆動するとともに、弁体１３０Ｂを中立位置から図示反時計回り方向へ所定量（本実施形態では６３度）回転駆動させる。この結果、図９（ｄ）に示すように、弁体１３０Ｂの一方の連通孔１３７の第１連通孔部１３７ａは、導入側弁部１２０Ｂの一方の導入孔１２２に対向して、導入孔１２２を弁体１３０Ｂの連通孔１３７の第１連通孔部１３７ａを通して、注出側弁部１４０Ｂの注出孔１４２に連通させる。
【００８１】
この結果、貯溜タンク２０ａから導出管路３０ｂの下流側導出管路部３６ｃを通って導入側ケース１１０Ｂの導入通路１１４に導入された電解生成酸性水は、導入側弁部１２０Ｂの一方の導入孔１２２、弁体１３０Ｂの連通孔１３７における第１連通孔部１３７ａ、注出側弁部１４０Ｂの注出孔１４２、および、注出側ケース１５０Ｂの注出通路１５３を通って注出管路３０ｄに注出される。
【００８２】
消費者は、電解生成酸性水を所望量採取した場合には、例えば、当該注出スイッチを再度押動操作して開くと、制御装置は、当該指示信号に基づいて、貯溜タンク２０ａ側の送水ポンプ２３の駆動を停止するとともに、弁体１３０Ｂを図示時計回り方向へ所定量（本実施形態では６３度）回転して中立位置に復帰させ、弁体１３０Ｂの連通孔１３７，１３８を、導入側弁部１２０Ｂの各導入孔１２２，１２３のいずれにも対向しない位置状態とする。この結果、各電解生成水の注出管路３０ｄへの注出は遮断状態となる。
【００８３】
また、消費者は、弱酸性の電解生成酸性水を採取すべく、弱酸性の電解生成酸性水用の注出スイッチを選択して押動操作して閉じると、制御装置は当該指示信号に基づいて、貯溜タンク２０ａ，２０ｂ側の送水ポンプ２３，２４を駆動するとともに、弁体１３０Ｂを中立位置から図示反時計回り方向へ所定量（本実施形態では９５度）回転駆動させる。この結果、図９（ｅ）に示すように、弁体１３０Ｂの一方の連通孔１３７の第１連通孔部１３７ａは導入側弁部１２０Ｂの一方の導入孔１２２に対向するとともに、第２連通孔部１３７ｂは導入側弁部１２０Ｂの他方の導入孔１２３に対向する。
【００８４】
このため、導入側弁部１２０Ｂの各導入孔１２２，１２３は、弁体１３０Ｂの連通孔１３７の第１連通孔部１３７ａおよび第２連通孔部１３７ｂを通して、注出側弁部１４０Ｂの注出孔１４２に連通する。
【００８５】
この結果、貯溜タンク２０ａから導出管路３０ｂの下流側導出管路部３６ｃを通って導入側ケース１１０の導入通路１１４に導入された電解生成酸性水は、導入側弁部１２０Ｂの一方の導入孔１２２、弁体１３０Ｂの連通孔１３７の第１連通孔部１３７ａを通って注出側弁部１４０Ｂの注出孔１４２に導入されるとともに、貯溜タンク２０ｂから導出管路３０ｃの下流側導出管路部３６ｄを通って導入側ケース１１０の導入通路１１５に導入された電解生成アルカリ性水は、導入側弁部１２０Ｂの他方の導入孔１２３、弁体１３０Ｂの連通孔１３７の第２連通孔部１３７ｂを通って注出側弁部１４０Ｂの注出孔１４２に導入される。
【００８６】
当該注出孔１４２では、大量の電解生成酸性水に少量の電解生成アルカリ性水が混合して弱酸性の電解生成アルカリ性水が調製され、調製された弱酸性の電解生成酸性水は注出側ケース１５０Ｂの注出通路１５３を通って注出管路３０ｄに注出される。
【００８７】
消費者は、弱酸性の電解生成酸性水を所望量採取した場合には、例えば、当該注出スイッチを再度押動操作して開くと、制御装置は、当該指示信号に基づいて、各貯溜タンク２０ａ，２０ｂ側の送水ポンプ２３，２４の駆動を停止するとともに、弁体１３０Ｂを図示時計回り方向へ所定量（本実施形態では９５度）回転して中立位置に復帰させて、弁体１３０Ｂの連通孔１３７，１３８を、導入側弁部１２０Ｂの各導入孔１２２，１２３のいずれにも対向しない位置状態とする。この結果、各電解生成水の注出管路３０ｄへの注出は遮断状態となる。
【００８８】
また、消費者は、略中性の電解生成水を採取すべく、当該電解生成水用の注出スイッチを選択して押動操作して閉じると、制御装置は当該指示信号に基づいて、各貯溜タンク２０ａ，２０ｂ側の送水ポンプ２３，２４を駆動するとともに、弁体１３０Ｂを中立位置から図示反時計回り方向へ所定量（本実施形態では１２２度）回転駆動させる。この結果、図９（ｆ）に示すように、弁体１３０Ｂの一方の連通孔１３７の第１連通孔部１３７ａは、導入側弁部１２０Ｂの各導入孔１２２，１２３に同時に対向して、導入孔１２２，１２３を弁体１３０Ｂの連通孔部１３７ａを通して、注出側弁部１４０の注出孔１４２に連通させる。
【００８９】
この結果、貯溜タンク２０ａ、２０ｂから導出管路３０ｂ，３０ｃの下流側導出管路部３６ｃ、３６ｄを通して導入側ケース１１０の導入通路１１４，１１５に導入された電解生成酸性水および電解生成アルカリ性水は、導入側弁部１２０Ｂの各導入孔１２２，１２３を通って弁体１３０Ｂの連通孔１３７で混合して略中性の電解生成水を調製し、調製された略中性の電解生成水は、注出側弁部１４０Ｂの注出孔１４２、および、注出側ケース１５０の注出通路１５３を通って注出管路３０ｄに注出される。
【００９０】
消費者は、略中性の電解生成水を所望量採取した場合には、例えば、当該スイッチを再度押動操作して開くと、制御装置は、当該指示信号に基づいて、各貯溜タンク２０ａ，２０ｂ側の送水ポンプ２３，２４の駆動を停止するとともに、弁体１３０Ｂを図示時計回り方向へ所定量（本実施形態では１２２度）回転して中立位置に復帰させて、弁体１３０Ｂの連通孔１３７，１３８を、導入側弁部１２０Ｂの各導入孔１２２，１２３のいずれにも対向しない状態とする。この結果、各電解生成水の注出管路３０ｄへの注出を停止状態とする。
【００９１】
図１０（ａ），（ｂ）には、当該弁体１３０Ｂが有する各連通孔１３７，１３８を変形した例を示している。図１０（ａ）に示す各連通孔１３７，１３８は、その第２連通孔部１３７ｃ，１３８ｃを長三角形状に形成した例であり、図１０（ｂ）に示す各連通孔１３７，１３８は、その第１連通孔部１３７ｄ，１３８ｄを互いに一体に化した例である。
【００９２】
これらの各連通孔１３７，１３８は、弁体１３０Ｂの各連通孔１３７，１３８を構成する第２連通孔部１３７ｂ，１３８ｂのスリット状の孔に替えて長三角形状としたことにより、弁体１３０Ｂの回転角度を調整することにより、電解生成酸性水と電解生成アルカリ性水との混合割合を任意に変化させることができる利点がある。
【００９３】
なお、図９および図１０に示す弁体１３０Ｂにおいては、弁閉鎖時、各第２連通孔部にて流量が段階的または漸次減量されることから、ウォーターハンマーを低減することができる利点がある。
【００９４】
本発明に係る第２の注出弁装置は、有隔膜電解槽の各電解室にて生成される電解生成酸性水および電解生成アルカリ性水をそれぞれ導出する一対の導出管路と一対の注出管路との間に介在し、設定された特性の電解生成水を選択して前記各注出管路に注出する形式の電解生成水用の注出弁装置である。本発明に係る第２の注出弁装置は、注出通路が２つある点で、本発明に係る第１の注出弁装置とは相違するが、その他の構成は類似するものである。本発明に係る第２の注出弁装置は、例えば、図１１に示す電解水生成装置の注出弁装置として採用される。
【００９５】
本発明に係る第２の注出弁装置である第４注出弁装置２００は、２導入通路−２注出通路方式のもので、図１１に示す電解水生成装置の導出管路４０ａ，４０ｂを注出管路５０ａ，５０ｂ間に介在して、各導入通路が各導出管路４０ａ，４０ｂにそれぞれ接続され、かつ、各注出通路が各注出管路５０ａ，５０ｂにそれぞれ接続される。
【００９６】
当該電解水生成装置は、第１の注出弁装置が使用される図２に示す電解水生成装置とは、各貯溜タンク２０ａ，２０ｂを備えていない点を除けば類似構成であり、かつ、電解運転については類似するものである。このため、当該電解水生成槽には、第１の電解水生成装置（図２参照）で使用している符号を援用することによって、その詳細な説明を省略する。
【００９７】
当該電解水生成装置においては、第４注出弁装置２００は、電解槽１０の各電解室１１，１２の下流側に接続されている導出管路４０ａ，４０ｂと注出管路５０ａ，５０ｂ間に配置されて、各導入管路が各導出管路４０ａ，４０ｂにそれぞれ接続されている。また、各注出管路が各注出管路５０ａ，５０ｂにそれぞれ接続されている。但し、第４注出弁装置２００は、各導出管路４０ａ，４０ｂと各注出管路５０ａ，５０ｂとの接続を切替える流路切替機能を有している。
【００９８】
当該電解水生成装置は、希薄食塩水を被電解水とするもので、当該電解水生成装置の電解運転では、各電解室１１，１２に配設してある各電極に設定された一定の電圧を印加することにより、設定された電解条件の下で有隔膜電解が行われる。例えば、電解室１１が陽極側電解室で電解室１２が陰極側電解室である場合には、電解室１１では電解生成酸性水が生成され、電解室１２では電解生成アルカリ性水が生成される。電解室１１で生成された電解生成酸性水は、導出管路４０ａに導出され、導出管路４０ａが注出管路５０ａに接続されている場合には注出管路５０ａに注出される。また、電解室１２で生成された電解生成アルカリ性水は、導出管路４０ｂに導出され、導出管路４０ｂが注出管路５０ｂに接続されている場合には注出管路５０ｂに注出される。
【００９９】
当該電解水生成装置の電解運転において、各電解室１１，１２の各電極の極性を定期的に反転させて、電解室１１を陰極側電解室に変更させるとともに、電解室１２を陽極側電解室に変更させる。この場合、注出弁装置２００は流路を切替動作して、導出管路４０ａを注出管路５０ｂに、導出管路４０ｂを注出管路５０ａに接続する。
【０１００】
この結果、電解室１１では電解生成アルカリ性水が生成され、生成された電解生成アルカリ性水は導出管路４０ａに導出されて注出管路５０ｂに注出され、また、電解室１２では電解生成酸性水が生成され、生成された電解生成酸性水は導出管路４０ｂに導出されて注出管路５０ａに注出される。従って、当該電解水生成装置においては、両注出管路５０ａ，５０ｂのうち、注出管路５０ａは電解生成酸性水の専用の注出管路となり、注出管路５０ｂは、電解生成アルカリ性水の専用の注出管路となる。
【０１０１】
しかして、第４注出弁装置２００は、２つの注出通路を有する点を除けば、図３に示す注出弁装置とは類似する構成のものであって、弁本体と駆動機構により構成されている。図１２には、当該弁本体を構成する各構成部材を示している。当該弁本体は、導入側ケース２１０，導入側弁部２２０、弁体２３０、注出側弁部２４０、および、注出側ケース２５０を備えている。
【０１０２】
導入側ケース２１０は、周方向に１８０度離間した状態で上下に位置する一対の導入通路２１１，２１２を備え、導入側弁部２２０は、導入側ケース２１０の各導入通路に対向する導入孔２２１，２２２を備え、弁体２３０は、周方向に１８０度離間した状態で週方向に円弧状に延びる連通孔２３１，２３２を備えている。また、注出側弁部２４０は、周方向に周方向に１８０度離間した状態で左右に位置する一対の注出孔２４１，２４２を備え、注出側ケース２５０は、周方向に周方向に１８０度離間した状態で左右に位置する一対の注出通路２５１，２５２を備えている。
【０１０３】
当該第４注出弁装置２００は、電解生成酸性水および電解生成アルカリ性水の２種類の電解生成水を、専用の注出管路５０ａ，５０ｂにそれぞれ同時に注出する機能を有するもので、当該電解水生成装置が非運転状態にある場合には、弁体２３０は、図１３（ａ）に示すように中立状態にある。弁体２００が中立状態にある場合には、弁体２３０の各連通孔２３１，２３２は、導入側弁部２２０の各導入孔２２１，２２２とは対向状態にあるが、注出側弁部２４０の注出孔２４１，２４２とは非対向の状態にあり、各電解生成水の注出は遮断状態にある。
【０１０４】
消費者は、各電解生成水を採取すべく、電解生成水用の注出スイッチを押動操作して閉じると、制御装置は当該指示信号に基づいて、当該電解水生成装置の電解運転の開始と同時に注出弁装置２００を作動して、例えば、弁体２３０を図示反時計回り方向へ所定量（本実施形態では４５度）回転動作させる。これにより、図１３（ｂ）に示すように、弁体２３０の一方の連通孔２３１が注出弁側弁部２４０の一方の注出孔２４１に対向するとともに、弁体２３０の他方の連通孔２３２が注出側弁部２４０の他方の注出孔２４２に対向する。
【０１０５】
これにより、電解槽１０の電解室１１（陽極側電解室）で生成される電解生成酸性水は、導出管路４０ａから導入側ケース２１０の一方の導入通路２１１に導入され、導入された電解生成酸性水は、導入側弁部２２０の一方の導入孔２１１、弁体２３０の一方の連通孔２３１、注出側弁部２４０の一方の注出孔２４１を通って、注出側ケース２５０の一方の注出流出通路２５１から一方の注出管路５０ａに注出される。また、電解槽１０の電解室１２（陰極側電解室）で生成される電解生成アルカリ性水は、導出管路４０ｂから導入側ケース２１０の他方の導入通路２１２に導入され、導入された電解生成アルカリ性水は、導入側弁部２２０の他方の導入孔２１２、弁体２３０の他方の連通孔２３２、注出側弁部２４０の他方の注出孔２４２を通って、注出側ケース２５０の他方の注出流出通路２５２から他方の注出管路５０ｂに注出される。
【０１０６】
消費者は、各電解生成水を所望量採取した場合には、例えば、当該注出スイッチを再度押動操作して開くと、制御装置は、当該指示信号に基づいて、当該電解水生成装置の電解運転を停止するとともに、弁体２３０を図示時計回り方向へ所定量（本実施形態では４５度）回転動作させて、弁体２３０を中立位置に回転復帰させる。この結果、各電解生成水の注出管路５０ａ，５０ｂへの注出は遮断状態となる。
【０１０７】
一方、電解槽の各電解室１１，１２の極性が上記の電解運転と反転された状態の電解運転では、制御装置は、弁体２３０の上記した回転動作とは逆方向の回転動作をさせる制御を行う。消費者は、各電解生成水を採取すべく、電解生成水用の注出スイッチを押動操作して閉じると、制御装置は当該指示信号に基づいて、当該電解水生成装置の電解運転の開始と同時に注出弁装置２００を作動して、例えば、中立位置の弁体２３０を、図示時計回り方向へ所定量（本実施形態では４５度）回転動作させる。これにより、図１３（ｃ）に示すように、弁体２３０の一方の連通孔２３１が注出弁側弁部２４０の他方の注出孔２４２とも対向するとともに、弁体２３０の他方の連通孔２３２が注出側弁部２４０の一方の注出孔２４１ととも対向する。
【０１０８】
これにより、電解槽１０の電解室１１（陰極側電解室）で生成される電解生成アルカリ性水は、導出管路４０ａから導入側ケース２１０の一方の導入通路２１１に導入され、導入された電解生成酸性水は、導入側弁部２２０の一方の導入孔２１１、弁体２３０の一方の連通孔２３１、注出側弁部２４０の他方の注出孔２４２を通って、注出側ケース２５０の他方の注出流出通路２５２から他方の注出管路５０ｂに注出される。
【０１０９】
また、電解槽１０の電解室１２（陽極側電解室）で生成される電解生成酸性水は、導出管路４０ｂから導入側ケース２１０の他方の導入通路２１２に導入され、導入された電解生成アルカリ性水は、導入側弁部２２０の他方の導入孔２１２、弁体２３０の一方の連通孔２３１、注出側弁部２４０の一方の注出孔２４２を通って、注出側ケース２５０の一方の注出流出通路２５２から一方の注出管路５０ａに注出される。
【０１１０】
消費者は、各電解生成水を所望量採取した場合には、例えば、当該注出スイッチを再度押動操作して開くと、制御装置は、当該指示信号に基づいて、当該電解水生成装置の電解運転を停止するとともに、弁体２３０を図示時計回り方向へ所定量（本実施形態では４５度）回転動作させる。この結果、各電解生成水の注出管路５０ａ，５０ｂへの注出は遮断状態となる。
【０１１１】
このように、第４注出弁装置２００は、従来の流路切替弁の機能と、各電解生成水の注出遮断機能を合わせ持っている。このため、第４注出弁装置２００を使用すれば、流路切替弁の使用を省略することができる。第４注出弁装置２００の従来の流路切替弁とは相違する最大の特徴は、各電解生成水の注出を遮断する機能を有する点にある。
【０１１２】
図１４には、２導入通路−２注出通路方式である第２の注出弁装置の変形例（第５注出弁装置）を示している。第５注出弁装置２００Ａは、弁本体と駆動機構とからなる点では、その他の注出弁装置と同様であるが、第２の注出弁装置の範疇に属する第４注出弁装置２００とは弁本体を全く異にするものである。弁本体は弁ハウジング２１０Ａと弁体２２０Ａを備えるもので、弁ハウジング２１０Ａは、左右一対の導入通路２１１，２１２と、左右一対の注出通路２２１，２２２を備えている。各導入通路２１１，２１２と各注出通路２１３，２１４とは互いに対向していて、弁体２２０Ａの収容室を介して、一方の導入通路２１１と一方の注出通路２１３とが互いに連通し、他方の導入通路２１２と他方の注出通路２１４とが互いに連通している。
【０１１３】
弁体２２０Ａは、その中心を通って直線状に延びる連通孔２２３を備えていて、収容室に回転可能に収容されていて、導入通路２１１および注出通路２１３と、導入通路２１２および注出通路２１４とを互いに区画している。弁体２２０Ａの連通孔２２３は、各端部にて開口していて、弁体２２０Ａが図１４（ａ）に示す中立状態では、連通孔２２３は各導入通路２１１，２１２および注出通路２１３，２１４のいずれにも連通していない。
【０１１４】
弁体２２０Ａは、中立位置から時計方向回りに所定量（本実施形態では４５度）回転動作すると、図１４（ｂ）に示すように、弁体２２０Ａの連通孔２２３は、他方の導入通路２１２と一方の注出通路２１３とに連通することになる。また、弁体２２０Ａは、中立位置から反時計方向回りに所定量（本実施形態では４５度）回転動作すると、図１４（ｃ）に示すように、弁体２２０Ａの連通孔２２３は、一方の導入通路２１１と他方の注出通路２１４とに連通することになる。
【０１１５】
第５注出弁装置２００Ａは、電解水生成装置を構成する両導出管路４０ａ，４０ｂと両注出管路５０ａ，５０ｂ間に配設されて、弁ハウジング２１０Ａが有する一方の導入通路２１１に一方の導出管路４０ａを接続し、他方の導入管路２１２を他方の導出管路４０ｂに接続し、また、弁ハウジング２１０Ａが有する一方の注出通路２１３を一方の注出管路５０ａに接続し、他方の注出管路２１４を他方の導出管路５０ｂに接続して使用されることになる。
【０１１６】
当該電解水生成装置に配設した第５注出弁装置２００Ａにおいては、両方の注出管路５０ａ，５０ｂを通して電解生成酸性水と電解生成アルカリ性水とがそれぞれ同時に注出されるが、この場合、電解生成酸性水と電解生成アルカリ性水の組合わせ（第１組の各電解生成水）、弱酸性の電解生成酸性水と電解生成アルカリ性水の組合わせ（第２組の各電解生成水）、電解生成酸性水と弱アルカリ性の電解生成アルカリ性水の組合わせ（第３組の電解生成水）が、注出管路５０ａ，５０ｂからそれぞれ注出される。
【０１１７】
消費者は、例えば、第１組の各電解生成水用の注出スイッチを押動操作して閉じると、制御装置は当該指示信号に基づいて、弁体２２０Ａを図１４（ａ）に示す中立位置に位置させた状態で、当該電解水生成装置の電解運転の開始させる。これにより、一方の導入管路２１１に導入された電解生成酸性水は、一方の注出管路２１３から注出され、また、他方の導入管路２１２に導入された電解生成アルカリ性水は、他方の注出管路２１４から注出されることになる。
【０１１８】
また、消費者は、例えば、第２組の各電解生成水用の注出スイッチを押動操作して閉じると、制御装置は当該指示信号に基づいて、弁体２２０Ａを中立位置から図示時計方向へ所定量（本実施形態では４５度）回転動作させて、図１４（ｂ）に示すように位置させる。この結果、弁体２２０Ａはその連通孔２２３を通して、他方の導入通路２１２を一方の注出管路２１３に連通させて、他方の導入通路２１２に導入される電解生成アルカリ性水の一部を、一方の注出管路２１３を流れる電解生成酸性水に導入する。このため、一方の注出管路２１３からは、電解生成アルカリ性水が少量混合してなる弱酸性の電解生成酸性水が注出され、他方の注出管路２１４からは導入量より少量少ない電解生成アルカリ性水が注出されることになる。
【０１１９】
また、消費者は、例えば、第３組の各電解生成水用の注出スイッチを押動操作して閉じると、制御装置は当該指示信号に基づいて、弁体２１０Ａを中立位置から図示反時計方向へ所定量（本実施形態では４５度）回転動作させて、図１４（ｃ）に示すように位置させる。この結果、弁体２２０Ａはその連通孔２２３を通して、一方の導入通路２１１を他方の注出管路２１４に連通させて、一方の導入通路２１１に導入される電解生成酸性水の一部を、他方の注出管路２１４を流れる電解生成アルカリ性水に導入する。このため、他方の注出管路２１４からは、電解生成酸性水が少量混合してなる弱アルカリ性の電解生成アルカリ性水が注出され、一方の注出管路２１３からは導入量より少量少ない電解生成酸性水が注出されることになる。
【０１２０】
このように、第５注出弁装置２００Ａは、従来の流路切替弁の機能と、電解生成酸性水と電解生成アルカリ性水の組合わせ（第１組の各電解生成水）、弱酸性の電解生成酸性水と電解生成アルカリ性水の組合わせ（第２組の各電解生成水）、電解生成酸性水と弱アルカリ性の電解生成アルカリ性水組合わせ（第３組の電解生成水）の３組を、組合わせて注出する機能を有するものである。第５注出弁装置２００Ａの従来の流路切替弁とは相違する最大の特徴は、当該機能にある。
【０１２１】
なお、上記した本発明の各実施形態に係る各注出弁装置においては、当該電解水生成装置が装備する制御装置によって弁体の作動を自動制御するように構成されているが、これに替えて、当該制御装置とは別の注出弁装置の専用の制御装置によって弁体の作動を自動制御するように構成することができるとともに、弁体の作動を手動で開始および停止することができるように構成することもできる。
【０１２２】
本発明に係る注出弁装置を配設する電解水生成装置においては、実際には、注出弁装置の注出通路に接続した注出管路の先端に注出ノズルを取付けて使用される。第１の注出弁装置においては、注出通路が１本であることから、先端に注出ノズルを取付けた１本の注出管路が接続され、本発明に係る第２の注出弁装置においては、注出通路が２本であることから、先端に注出ノズルを取付けた２本の注出管路が接続されることになる。本発明では、注出管路の先端に取付けられる注出ノズル装置をも提供するものである。
【０１２３】
図１５には、本発明に係る第１の注出弁装置１００の注出通路に接続された注出管路に取付けた注出ノズル装置３００を示し、図１６には、注出ノズル装置３００を構成する各構成部材を示している。注出弁装置１００の注出通路に接続されている注出管路３０ｄの先端部には台座３０ｅが形成されていて、台座３０ｅは、注出弁装置１００とマイコンＣを一体に収容するハウジングＨの底部に取付けられていて、当該台座３０ｅに注出ノズル装置３００が組付けられている。
【０１２４】
注出ノズル装置３００は、透明樹脂からなるノズル本体３１０と、不透明樹脂からなるアウタパイプ３２０と、透明樹脂からなる散水スペーサ３３０と、複数の発光素子である青色ＬＥＤ３４１および赤色ＬＥＤ３４２により構成されている。
【０１２５】
ノズル本体３１０は、ノズル部３１１と、ノズル部３１１と一体に形成されて各ＬＥＤ３４１，３４２を受承する支持部３１２とからなり、支持部３１２は筒状を呈していて、その上下の中間部に棚３１３を備えている。棚３１３は、ノズル部３１１と支持部３１２の筒部とで、ＬＥＤを受承する収容部を形成している。ノズル本体３１０は、アウタパイプ３２０内に挿入された状態で、ノズル部３１１の下端部に散水スペース３３０が嵌着されている。散水スペーサ３３０は円盤状を呈するもので、円盤状の本体３３１の中央部には取付穴３３２を有していて、取付穴３３２を中心に、その周囲に同心状に多数の散水孔３３３が形成されている。散水スペーサ３３０は、アウタパイプ３２０の下端部に嵌合した状態で、本体３３１の取付穴３３２に挿通したネジ３３４を介して、ノズル部３１１の下端部に取付けられている。
【０１２６】
このように組立てられたノズル組立体には、支持部３１２の棚部３１３に複数のＬＥＤ３４１，３４２を収容して受承し、この状態で、ノズル部３１１の先端部を台座３０ｅ内の注出管路３０ｄの接続部位に嵌着し、かつ、アウタパイプ３２０の上端部を台座３０ｅの取付部位に嵌着することによって、注出管路３０ｄの先端に取付けられている。この場合、各ＬＥＤ３４１，３４２は、棚部３１３の各角形状の凹部に嵌合して回り止めされた状態で、そのリード線を台座３０ｅの開口部を通してマイコンＣに接続されていている。マイコンＣは、各ＬＥＤ３４１，３４２の発光の点滅を制御する制御手段である。
【０１２７】
図１７には、各ＬＥＤ３４１，３４２の配列状態の一例を示している。各ＬＥＤ３４１，３４２のうち、２個の赤色ＬＥＤ３４２は周方向に１８０度離間して配置されていて、これらの２個の赤色ＬＥＤ３４２の間に青色ＬＥＤ３４１が３個づつ配置されている。マイコンＣは、注出管路３０ｄから注出される電解生成水の特性に応じて、各ＬＥＤ３４１，３４２の発光の点滅を制御する。
【０１２８】
注出弁装置１００においては、電解生成酸性水と電解生成アルカリ性水の２種類の電解生成水を選択的に注出することができるが、例えば、消費者が電解生成酸性水の注出を選択した場合には、マイコンＣは、当該選択に応じて全ての青色ＬＥＤを点灯して発光させて、アウタパイプ３２０を青色に照明するとともに、散水スペーサ３３０を通して注出される電解生成酸性水を青色に照明する。また、消費者が電解生成アルカリ性水の注出を選択した場合には、マイコンＣは、当該選択に応じて全ての赤色ＬＥＤを点灯して発光させて、アウタパイプ３２０を赤色に照明するとともに、散水スペーサ３３０を通して注出される電解生成アルカリ性水を赤色に照明する。
【０１２９】
当該注出ノズル装置３００を、例えば、第２注出弁装置１００Ａに使用する場合には、第２注出弁装置１００Ａは電解生成酸性水、電解生成アルカリ性水、略中性の電解生成水に３種類の電解生成水水を選択的に注出することから、マイコンＣは、例えば消費者が電解生成酸性水の注出を選択した場合には、当該選択に応じて全ての青色ＬＥＤを点灯して発光させて、アウタパイプ３２０を青色に照明するとともに、散水スペーサ３３０を通して注出される電解生成酸性水を青色に照明する。
【０１３０】
また、消費者が電解生成アルカリ性水の注出を選択した場合には、マイコンＣは、当該選択に応じて全ての赤色ＬＥＤを点灯して発光させて、アウタパイプ３２０を赤色に照明するとともに、散水スペーサ３３０を通して注出される電解生成アルカリ性水を赤色に照明する。さらにまた、消費者が略中性の電解生成水の注出を選択した場合には、マイコンＣは、当該選択に応じて１個の赤色ＬＥＤと３個の青色ＬＥＤを点灯して発光させて、アウタパイプ３２０を紫色に照明するとともに、散水スペーサ３３０を通して注出される略中性の電解生成水を紫色に照明する。
【０１３１】
これらの場合、マイコンＣは、電解生成水の非注出時には、ＬＥＤ３４１，３４２の発光を停止し、特性の安定な電解生成水が注出している状態では、ＬＥＤ３４１，３４２を発光させ、特性が安定していない電解生成水が注出している状態では、ＬＥＤ３４１，３４２の発光を点滅させるように制御することができる。
【０１３２】
なお、当該注出ノズル装置３００を第３注出弁装置１００Ｂに使用する場合には、当該注出弁装置１００Ｂは、５種類の特性を異にする電解生成水を注出することができることから、さらに発光色を異にするＬＥＤを追加する等して、マイコンＣの発光制御によって、注出される電解生成水をその特有の色で照射するようにする。また、本発明に係る第２の注出弁装置である第４注出弁装置２００や第５注出弁装置２００Ａに使用する場合には、当該注出ノズル装置１００を２本をそれぞれの注出管路に接続して使用することができるが、第４注出弁装置２００は、各注出管路からは専用の電解生成水がそれぞれ注出することができることから、使用する各注出ノズル装置には互いに発光色を異にする１本のＬＥＤをそれぞれ使用するようにすることができる。
【０１３３】
このように、当該注出ノズル装置においては、アウタパイプ３２０および注出される電解生成水を、注出される特性の電解生成水に応じて異なる色に照明することができるため、実際に注出されている電解生成水の特性を照明色にて視認することができるとともに、散水スペーサ３３０の散水機能によって、注出される電解生成水の流れの流速を分散することができる。
【０１３４】
なお、散水スペーサについては、図１８に示す各散水スペーサ３３０Ａ，３３０Ｂにごとく、光通過面に凹凸を設けることにより、ＬＥＤから発光される光を注出される電解生成水の中央に収束させ、視認性を一層向上させることができるとともに、散水スペーサ３３０の散水穴を本体３３１の中央部より外周付近に多く集めて、その中央部に空気層を設けることによって、注出された電解生成水中に一旦照射された光を電解生成水内から漏れ難くして、照射光を注出される電解生成水の中央内部に保持し、照射色による視認性にさらに向上させることができる。
【図面の簡単な説明】
【０１３５】
【図１】異なる特性の電解生成水を注出するための注出弁装置を採用してなる従来の電解水生成装置を示す概略構成図である。
【図２】本発明に係る第１の注出弁装置を採用した電解水生成装置を示す概略構成図である。
【図３】本発明に係る第１の注出弁装置である第１注出弁装置を示す弁本体を縦断した側面図である。
【図４】第１注出弁装置の弁本体を構成する構成部材を示す背面図である。
【図５】注出側ケースに嵌合した弁体の動作状態を示す正面図である。
【図６】本発明に係る第１の注出弁装置である第２注出弁装置の弁本体を構成する構成部材を示す背面図である。
【図７】注出側ケースに嵌合した弁体の動作状態を示す正面図である。
【図８】本発明に係る第１に注出弁装置である第３注出弁装置の弁本体を構成する構成部材を示す背面図である。
【図９】注出側ケースに嵌合した弁体の動作状態を示す正面図である。
【図１０】弁体の変形例である注出側ケースに嵌合した弁体の動作状態を示す正面図である。
【図１１】本発明に係る第２の注出弁装置を採用した電解水生成装置を示す概略構成図である。
【図１２】本発明に係る第２の注出弁装置である第４注出弁装置の弁本体を構成する構成部材を示す背面図である。
【図１３】注出側ケースに嵌合した弁体の動作状態を示す正面図である。
【図１４】本発明に係る第２の注出弁装置である第５注出弁装置の弁体の動作状態を示す弁本体の平面図である。
【図１５】本発明に係る注出弁装置に採用する注出ノズル装置の縦断側面図である。
【図１６】注出ノズル装置を構成する各構成部材の縦断側面図および平面図である。
【図１７】各ＬＥＤの配置状態を示す平面図である。
【図１８】散水スペーサの変形例の２例を示す縦断側面図である。
【符号の説明】
【０１３６】
１０…有隔膜電解槽、１１，１２…電解室、２０ａ，２０ｂ…貯溜タンク、２１，２２…切替弁、２３，２４…切替弁、３０ａ…供給管路、３０ｂ，３０ｃ…導出管路、３０ｄ…注出管路、３０ｅ…台座、３１…給水管路部、３２…供給管路部、３３ａ…減圧弁、３３ｂ…軟水器、３３ｃ…フィルタ、３３ｄ…減圧弁、３３ｅ…ウォータバルブ、３４ａ…濃塩水タンク、３４ｂ…塩水供給ポンプ、３５ａ，３５ｂ…流量センサ、３６ａ，３６ｂ…上流側管路部、３６ｃ、３６ｄ…下流側管路部、３６ａ1，３６ｂ1…第１管路部、３６ａ2，３６ｂ2…第２管路部、３６ｃ，３６ｄ…導出管路部、３７…流路切替弁、３８，３８ａ，３８ｂ…注出管路、３９…注出弁装置、３９ａ，３９ｂ…注出弁、４０ａ，４０ｂ…導出管路、５０ａ，５０ｂ…注出管路、１００…第１注出弁装置、１００ａ…弁本体、１００ｂ…駆動機構、１０１…押圧プレート、１０２…圧縮スプリング、１０３…蓋体、１１０導入側ケース、１１１…本体、１１２，１１３…突起部、１１４，１１５…導入通路、１２０，１２０Ａ…導入側弁部、１２１…嵌合孔、１２２，１２３…導入孔、１３０，１３０Ａ…弁体、１３１…弁体部、１３２…支持軸、１３３…嵌合孔、１３４…連通孔、１４０…注出側弁部、１４１…貫通孔、１４２…注出孔、１５０…注出側ケース、１５１…本体、１５２…支持筒、１５３…注出通路、１６０…ギヤモータ、１６１…出力軸、１７０…ギヤ列、１７１…入力ギヤ、１７２…出力ギヤ、１８０…フォトセンサー、１８１…センサー本体、１８２…センサー用スリット板、１００Ａ…第２注出弁装置、１１０Ａ…導入側ケース、１２０Ａ…導入側弁部、１３０Ａ…弁体、１３５，１３６…連通孔、１４０Ａ…注出側弁部、１５０Ａ…注出側ケース、１００Ｂ…第３注出弁装置、１１０Ｂ…導入側ケース、１２０Ｂ…導入側弁部、１３０Ｂ…弁体、１３７，１３８…連通孔、１３７ａ，１３８ａ…第１連通孔部、１３７ｂ，１３８ｂ…第２連通孔部、１３７ｃ，１３８ｃ…第２連通孔部、１３７ｄ，１３８ｄ…第１連通孔部、１４０Ｂ…注出側弁部、１５０Ｂ…注出側ケース、２００…第４注出弁装置、２１０…導入側ケース、２１１，２１２…導入通路、２２０…導入側弁部、２２１，２２２…導入孔、２３０…弁体、２３１，２３２…連通孔、２４０…注出側弁部、２４１，２４２…注出孔、２５０…注出側ケース、２５１，２５２…注出通路、２００Ａ…第５注出弁装置、２１０Ａ…弁ハウジング、２１１，２１２…導入通路、２１３，２１４…注出通路、２２０Ａ…弁体、２２３…連通孔、Ｈ…ハウジング、３００…注出ノズル装置、３１０…ノズル本体、３１１部…ノズル、３１２…支持部、３１３…棚部、３２０…アウタパイプ、３３０，３３０Ａ，３３０Ｂ…散水スペーサ、３３１…円盤状の本体、３３２…取付穴、３３３…散水穴、３３４…ネジ、３４１…青色ＬＥＤ、３４２…赤色ＬＥＤ。
【図１】
2009279563.tif 000003
【図２】
2009279563.tif 000004
【図３】
2009279563.tif 000005
【図４】
2009279563.tif 000006
【図５】
2009279563.tif 000007
【図６】
2009279563.tif 000008
【図７】
2009279563.tif 000009
【図８】
2009279563.tif 000010
【図９】
2009279563.tif 000011
【図１０】
2009279563.tif 000012
【図１１】
2009279563.tif 000013
【図１２】
2009279563.tif 000014
【図１３】
2009279563.tif 000015
【図１４】
2009279563.tif 000016
【図１５】
2009279563.tif 000017
【図１６】
2009279563.tif 000018
【図１７】
2009279563.tif 000019
【図１８】
2009279563.tif 000020